(57)【要約】【課題】天板によって体裁を良好にできるとともに、支柱をキャビネット本体に強固且つ安定的に取り付けることができるキャビネットを提供すること。【解決手段】本発明の支柱立設構造は、キャビネット本体の上面に取り付け可能な木製天板１０２に対して固定される支柱立設構造であって、上下方向に向かって延設され、物品支持部が設けられる上部支柱１０７と、上部支柱１０７の下端側において上部支柱１０７の側方に向かって延出された延出部１０８と、延出部１０８を木製天板１０２に固定するねじ１３２と、を備えた支柱立設構造である。【選択図】図３
2015142661.tif 000002
【特許請求の範囲】
【請求項１】
キャビネット本体の上面に取り付け可能な天板に対して固定される支柱立設構造であって、
上下方向に向かって延設され、物品支持部が設けられる上部支柱と、
前記上部支柱の下端側において前記上部支柱の側方に向かって延出された延出部と、
前記延出部を前記天板の下面側に固定する固定部材と、
を備えた支柱立設構造。
【請求項２】
請求項１に記載の支柱立設構造であって、
前記延出部は、前記キャビネット本体に前記延出部を固定するための固定構造を有し、前記天板と前記キャビネット本体とを連結する支柱立設構造。
【請求項３】
請求項１または請求項２に記載の支柱立設構造であって、
前記延出部は、延出方向に沿い、且つ、上方または下方に向かって突出する補強片を有することを特徴とする支柱立設構造。
【請求項４】
請求項１から請求項３のいずれか一項に記載の支柱立設構造と、
前記天板と、
を備えた天板構造であって、
前記天板には、前記天板の上面から下面まで上下方向に向かって貫通して形成され前記固定部材が挿通可能な支柱挿通孔が形成され、
前記延出部は、前記天板の下面側に固定可能であり、
前記上部支柱と前記延出部との間に前記天板が挟まれた状態で前記上部支柱が前記天板に固定されることを特徴とする天板構造。
【請求項５】
請求項４に記載の天板構造であって、
前記天板の下面には、前記支柱挿通孔に連通する凹部が形成されており、
前記上部支柱は、前記支柱挿通孔を介して前記延出部に接続され、
前記延出部は、前記凹部に収容された状態で天板に取り付けられる
ことを特徴とする天板構造。
【請求項６】
請求項５に記載の天板構造であって、
前記天板は、前記凹部から上方に向かって形成された第２凹部を有し、
前記延出部は、延出方向に沿い且つ上方に向かって突出する補強片を有し前記第２凹部に収容されることを特徴とする天板構造。
【請求項７】
請求項４から請求項６のいずれか一項に記載の天板構造であって、前記上部支柱の下端は前記天板の上面に接して配されることを特徴とする天板構造。
【請求項８】
請求項１から請求項３のいずれか一項に記載の支柱立設構造と、
前記天板と、
前記キャビネット本体と、
を備えたキャビネット。
【請求項９】
請求項４から請求項７のいずれか一項に記載の天板構造と、
前記キャビネット本体と、
を備えたキャビネット。
【発明の詳細な説明】
【技術分野】
【０００１】
本発明は、支柱立設構造、天板構造、及びキャビネットに関する。
【背景技術】
【０００２】
キャビネットの一例として、取付板によって支柱が固定されたものがある（例えば、特許文献１参照）。特許文献１に記載のキャビネットでは、横杆にねじによって固定された取付板の基片に配された把持片によって支柱が挟み込まれ、この把持片によって支柱が支持される。
【０００３】
キャビネットの他例として、支持杆取付金具に支柱を固定したものがある（例えば、特許文献２参照）。特許文献２に記載のキャビネットでは、支持杆取付金具に有する内向水平片が、スペーサ部材に配された内向取付片にねじによって固定され、支持杆取付金具に配された外向水平片が支柱の底板にねじによって固定される。
【先行技術文献】
【特許文献】
【０００４】
【特許文献１】特許第４４２３０７１号公報
【特許文献２】特開２０１０−１８７８８２号公報
【発明の概要】
【発明が解決しようとする課題】
【０００５】
通常、オフィス、病院、介護施設を含む各種施設の執務空間に設置されるキャビネットとしては、簡易的に構成するとともに、強度を確保しながら製造コストを削減するために、表面を薄い板状部材で構成するものが多い。特に、スチール製のキャビネットにおいては、薄板状のスチール板金材によって表面が構成される。このようにすることにより、強度を確保しながらコストを削減することができる。ところが、このようなキャビネットにおいては、金属面が表面に露呈することになるために、体裁、質感、及び触感等が悪くなるという問題点を有する。そのため、表面に木製の天板を取り付けることにより、上記の問題点を解消することができる。
【０００６】
一方、特許文献１に開示された先行技術では、横杆にねじによって固定された取付板の基片に配された把持片によって支柱が支持される。しかし、特許文献１に開示された先行技術では、木製の天板を有するキャビネットにおいて、支柱に重量物を支持させたい場合、支柱を天板に強固に取り付けることができない。
【０００７】
他方、特許文献２に開示された先行技術では、内向水平片がスペーサ部材に配された内向取付片に固定されている支持杆取付金具の外向水平片が支柱の底板に固定されることにより、支柱が支持される。しかし、特許文献１に開示された先行技術では、木製の天板を有するキャビネットにおいて、支柱に重量物を支持させたい場合、支柱を天板に強固に取り付けることができない。
本発明の目的は、天板に対して支柱を安定して取り付け可能な支柱立設構造、天板構造、及びキャビネットを提供することである。
【課題を解決するための手段】
【０００８】
本発明の一態様は、キャビネット本体の上面に取り付け可能な天板に対して固定される支柱立設構造であって、上下方向に向かって延設され、物品支持部が設けられる上部支柱と、前記上部支柱の下端側において前記上部支柱の側方に向かって延出された延出部と、前記延出部を前記天板の下面側に固定する固定部材と、を備えた支柱立設構造である。
上記態様の支柱立設構造は、延出部が天板に固定されることにより上部支柱を天板に強固に固定できる。このため、天板に固定された上部支柱が安定する。
【０００９】
前記延出部は、前記キャビネット本体に前記延出部を固定するための固定構造を有し、前記天板と前記キャビネット本体とを連結してもよい。
この場合、キャビネット本体に延出部が固定されるので、延出部を介してキャビネット本体と上部支柱とが固定され、上部支柱が安定する。
【００１０】
前記延出部は、延出方向に沿い、且つ、上方または下方に向かって突出する補強片を有していてもよい。
この場合、延出部が変形しにくい。
【００１１】
本発明の別の態様は、上記態様の支柱立設構造と、前記天板と、を備えた天板構造であって、前記天板には、前記天板の上面から下面まで上下方向に向かって貫通して形成され前記固定部材が挿通可能な支柱挿通孔が形成され、前記延出部は、前記天板の下面側に固定可能であり、前記上部支柱と前記延出部との間に前記天板が挟まれた状態で前記上部支柱が前記天板に固定されることを特徴とする天板構造である。
上記態様の天板構造は、延出部と上部支柱とによって天板を挟むので、上部支柱が安定する。
【００１２】
前記天板の下面には、前記支柱挿通孔に連通する凹部が形成されており、前記上部支柱は、前記支柱挿通孔を介して前記延出部に接続され、前記延出部は、前記凹部に収容された状態で天板に取り付けられていてもよい。
この場合、延出部が凹部に収容されるので美観に優れる。
【００１３】
前記天板は、前記凹部から上方に向かって形成された第２凹部を有し、前記延出部は、延出方向に沿い且つ上方に向かって突出する補強片を有し前記第２凹部に収容されてもよい。
この場合、補強片が第２凹部に収容されるので、延出部が凹部の内面に密着し、延出部が変形しにくい。
【００１４】
前記上部支柱の下端は前記天板の上面に接して配されてもよい。
この場合、上部支柱の下端の形状に合わせた天板の加工が不要であるので、生産効率がよい。
【００１５】
本発明のさらに別の態様は、上記態様の支柱立設構造と、前記天板と、前記キャビネット本体とを備えたキャビネットである。
本発明のさらに別の態様は、上記態様の天板構造と、前記キャビネット本体とを備えたキャビネットである。
上記各態様のキャビネットは美観に優れる。
【発明の効果】
【００１６】
本発明によれば、天板に対して上部支柱を安定して取り付け可能である。
【図面の簡単な説明】
【００１７】
【図１】本発明の一実施形態のキャビネットを斜め上方から視た外観斜視図である。
【図２】同キャビネットの木製天板と支柱との組み合わせ関係を示す斜め上方から視た分解斜視図である。
【図３】同キャビネットの木製天板と延出部との斜め下方から視た分解外観斜視図である。
【図４】同キャビネットの組立手順を説明する組立前の延出部周りの縦断面図である。
【図５】同キャビネットの組立手順を説明する組立後の延出部周りの縦断面図である。
【発明を実施するための形態】
【００１８】
本発明の一実施形態の支柱立設構造、天板構造、及びキャビネットについて、図１から図５を参照しながら説明する。ただし、本発明は、以下に説明する実施形態に限定されるものではない。また、図面においては、実施形態を説明するため、模式的に記載するとともに、一部分を大きくまたは強調して記載するなど適宜縮尺を変更して表現している。
【００１９】
図１は、本実施形態のキャビネットの一例の斜め上方から視た外観斜視図である。図１に示すキャビネット１００は、たとえば医療現場において看護師等が作業をする場合に利用される什器である。図１に示すように、キャビネット１００は、キャビネット本体１０１と、木製天板１０２と、一対の支柱１０３と、を備える。
【００２０】
キャビネット本体１０１は、金属製であって、キャビネット天板１０４、一対の側板１０５、後板１０６、を備える。キャビネット本体１０１は、一対の側板１０５の間に不図示の引出しや廃物入れを備える。
【００２１】
木製天板１０２は、木目模様を有する木製板材であって、あらかじめ定められた厚み寸法を有し、キャビネット天板１０４と平面視において相似形状に形成されている。この木製天板１０２は、木目模様を有する木製板材であるために、金属面が表面に露呈することはなく、体裁、質感、及び触感等を良好にできる。なお、木製天板１０２とは、一般的な金属製の天板の表面に木目模様等の化粧（型材を成形する際に木目のフィルムを貼り付ける等）を施すことにより木製板材と外観上同等となる複合材であってもよい。
【００２２】
支柱１０３は、木製天板１０２の後部の両端寄りにおいて、木製天板１０２の上面に対して直交する方向に延出されて木製天板１０２に取り付けられている。支柱１０３は、木製天板１０２の上面に露出する上部支柱１０７と、上部支柱１０７の下端から側方に向かって延出された延出部（図３参照）１０８とを有する。
【００２３】
それぞれの支柱１０３の間には、１以上の物品支持部１０９が取り付け可能である。本実施形態では、２つの物品支持部１０９が、支柱１０３に連結されている。物品支持部１０９は、支柱１０３に対する横桟として機能するものであり、不図示のフックが掛止されることにより、たとえば輸液容器１１０を引っ掛けておくことができる。なお、物品支持部１０９は任意の物品を適宜支持できる。また、物品支持部１０９は、不図示の棚が取り付けられることによりたとえば不図示の薬剤を載置しておくことができる。たとえば、物品支持部１０９に棚が取り付けられる場合、この棚は、物品支持部１０９から前方に突出する状態で物品支持部１０９に取り付けられる。このため、物品支持部１０９に棚が取り付けられる場合、支柱１０３が前方に倒れるような力が、棚及びこの棚上の物品によって支柱１０３にかかる場合がある。
物品支持部１０９は、木製天板１０２よりも上方にある見やすい位置に輸液容器１１０や薬剤を配置する際に利用可能であり、看護師等の作業をし易くすることができる。
【００２４】
図２は、キャビネット１００の木製天板１０２と支柱１０３との組み合わせ関係を示す斜め上方から視た分解斜視図である。図２に示すように、木製天板１０２の後部の両端寄りには、上面から下面まで上下方向に向かって貫通して形成された支柱挿通孔１１１及び支柱固定用ねじ挿通孔１１２が形成されている。上部支柱１０７は、矩形の板形状に形成されたベース部材１１３を介して木製天板１０２に接続される。
【００２５】
ベース部材１１３には、支柱挿通孔１１１に対応したベース部材側挿通孔１１４と、支柱固定用ねじ挿通孔１１２に対応して非貫通のベース部材側ねじ孔１１５と、が形成されている。ベース部材１１３には、上面から下面まで上下方向に向かって貫通して形成された４個のねじ挿通孔１１６が形成されている。これらねじ挿通孔１１６を通じて、ねじ（図３参照）１１７が、上部支柱１０７の下面に形成されたねじ孔１１８にねじ込まれる。
【００２６】
図３は、キャビネット１００の木製天板１０２と延出部１０８との斜め下方から視た分解外観斜視図である。図３に示すように、上部支柱１０７の下面には、木製天板１０２の支柱挿通孔１１１及びベース部材１１３のベース部材側挿通孔１１４に対応したねじ孔１１９が形成されている。
【００２７】
木製天板１０２の下面には、支柱挿通孔１１１に連通するものとして、木製天板１０２の前後方向に向けてあらかじめ定められた深さ寸法を有して切除された凹部１２０が形成されている。凹部１２０は、その両端に、凹部１２０の端部から上方に向けてさらに切除された一対の第２凹部１２１を有する。凹部１２０と一対の第２凹部１２１とにより、木製天板１０２の下面に、断面視コ字形状の空間が形成される。凹部１２０には、複数の延出部固定用ねじ孔１２２と、キャビネット本体１０１との接続用の複数のねじ孔１２３と、が形成されている。
【００２８】
凹部１２０には、延出部１０８が固定される。延出部１０８は、金属製の板部材を折り曲げ等により成形したものであり、凹部１２０の形状に対応したＩ字形状の本体部１２４を有する。さらに、延出部１０８は、本体部１２４の端部に、上方に向けて延出された一対の補強片１２５を有する。一対の補強片１２５は、木製天板１０２の凹部１２０に接続された第２凹部１２１に収納される。延出部１０８の本体部１２４には、凹部１２０の延出部固定用ねじ孔１２２に対応した複数のねじ挿通孔１２６と、凹部１２０のねじ孔１２３に対応した複数のねじ挿通孔１２７と、が形成されている。そして、延出部１０８の本体部１２４には、木製天板１０２の支柱挿通孔１１１に対応したねじ挿通孔１２８と、支柱固定用ねじ挿通孔１１２に対応したねじ挿通孔１２９と、が形成されている。
延出部１０８は、凹部１２０内に入り込むことで、木製天板１０２の前後方向に長い向きで木製天板１０２に固定可能である。
【００２９】
延出部１０８のねじ挿通孔１２８には、ねじ１３０が下方から挿通され、ねじ１３０が、木製天板１０２の支柱挿通孔１１１と、ベース部材１１３のベース部材側挿通孔１１４を通じて上部支柱１０７の下面のねじ孔１１９にねじ込まれる。
【００３０】
延出部１０８のねじ挿通孔１２９には、ねじ１３１が下方から挿通され、ねじ１３１が、木製天板１０２の支柱固定用ねじ挿通孔１１２を通じて、ベース部材１１３のベース部材側ねじ孔１１５にねじ込まれる。
ねじ１３０及びねじ１３１は、上部支柱１０７と延出部１０８とを連結する連結部材である。
【００３１】
延出部１０８のねじ挿通孔１２６には、ねじ１３２が下方から挿通され、ねじ１３２が、凹部１２０の延出部固定用ねじ孔１２２にねじ込まれる。ねじ１３２は、延出部１０８を木製天板１０２に固定するための固定部材である。これにより、上部支柱１０７は、延出部１０８とにより木製天板１０２を挟み込んで木製天板１０２に固定される。このとき、上部支柱１０７は、延出部１０８によってＬ字形状の組体を構成することになる。そして、延出部１０８の本体部１２４は、凹部１２０に一体的に接合され、延出部１０８の補強片１２５は、第２凹部１２１に収納される。そのため、上部支柱１０７は、がたつきを生ずることなく、木製天板１０２に強固に結合される。
【００３２】
本実施形態においては、上部支柱１０７、延出部１０８、ねじ１３０、ねじ１３１、及びねじ１３２によって、木製天板１０２に対して固定される支柱立設構造が構成されている。
また、延出部１０８においては、キャビネット本体１０１に対して延出部１０８を固定するための固定構造として複数のねじ挿通孔１２７が形成されている。本実施形態では、複数のねじ挿通孔１２７内に挿通されるねじは、キャビネット本体１０１と木製天板１０２とを連結するとともに、キャビネット本体１０１と木製天板１０２との間に挟まれた延出部１０８を固定する。
また、ベース部材１１３は上部支柱１０７の下端を構成しており、ベース部材１１３は木製天板１０２の上面に接している。
また、本実施形態においては、上部支柱１０７、延出部１０８、ねじ１３０、ねじ１３２、及び木製天板１０２によって、キャビネット本体１０１の上面に取り付け可能な天板構造が構成されている。
【００３３】
次に、キャビネット１００の組立手順について説明する。図４は、キャビネット１００の組立前の延出部１０８周りの縦断面図である。図５は、キャビネット１００の組立手順を説明する組立後の延出部１０８周りの縦断面図である。図４に示すように、まず、ねじ１３２が延出部１０８のねじ挿通孔１２６に挿通されて凹部１２０の延出部固定用ねじ孔１２２にねじ込まれる。次に、ねじ１３０が延出部１０８のねじ挿通孔１２８に挿通されて木製天板１０２の支柱挿通孔１１１とベース部材１１３のベース部材側挿通孔１１４とを通じて上部支柱１０７の下面のねじ孔１１９にねじ込まれる。
【００３４】
図５に示すように、ねじ１３２が延出部１０８のねじ挿通孔１２６を通じて凹部１２０の延出部固定用ねじ孔１２２にねじ込まれることにより、延出部１０８の本体部１２４は、凹部１２０に一体的に接合される。また、延出部１０８の補強片１２５は、第２凹部１２１に収納される。そして、ねじ１３０が延出部１０８のねじ挿通孔１２８、木製天板１０２の支柱挿通孔１１１、ベース部材１１３のベース部材側挿通孔１１４、を通じて上部支柱１０７のねじ孔１１９にねじ込まれる。続いて、木製天板１０２がキャビネット本体１０１に取り付けられる。これにより、上部支柱１０７は、がたつきを生ずることなく、木製天板１０２に強固に結合される。
【００３５】
このように、本実施形態のキャビネット１００によれば、支柱１０３は、上部支柱１０７が支柱挿通孔１１１を介して延出部１０８に接続され、延出部１０８が凹部１２０に収容された状態で木製天板１０２に取り付けられる。そして、木製天板１０２がキャビネット本体１０１に取り付けられる。これにより、キャビネット１００は、木製天板１０２によって体裁を良好にできるとともに、支柱１０３をキャビネット本体１０１に強固且つ安定的に取り付けることができる。
【００３６】
また、本実施形態のキャビネット１００によれば、支柱１０３の延出部１０８が木製天板１０２に固定されることにより、支柱１０３は、単体の場合と比べて、木製天板１０２を含めて全体の剛性を高くすることができる。
【００３７】
また、延出部１０８は、凹部１２０内に入り込むことで、木製天板１０２の前後方向に長い向きで木製天板１０２に固定可能であるので、支柱１０３は、木製天板１０２の前後方向において倒れにくいように延出部１０８によって支持される。このため、物品支持部１０９に棚を付けてこの棚上に重い物品が載置された場合であっても支柱１０３が倒れにくい。
【００３８】
また、本実施形態のキャビネット１００によれば、延出部１０８に配された補強片１２５によって、延出部１０８は、延出方向に沿う曲げ強度を高めることができる。
【００３９】
また、本実施形態のキャビネット１００によれば、支柱１０３の延出部１０８に配された補強片１２５が木製天板１０２の凹部１２０に配された第２凹部１２１に収容されることにより、支柱１０３と木製天板１０２との組体の剛性を、さらに向上させることができる。
【００４０】
以上、本発明の実施形態について図面を参照して詳述したが、具体的な構成はこの実施形態に限られるものではなく、本発明の要旨を逸脱しない範囲の設計変更等も含まれる。
【００４１】
例えば、延出部１０８の本体部１２４の形状は、図示したＩ字形状に代えて、Ｌ字形状に形成されてもよい。その場合、凹部１２０は、同様にＬ字形状に形成されるのが好ましい。
【００４２】
また、支柱１０３の延出部１０８は、木製天板１０２の上面の外観において美観を損なわないのであれば木製天板１０２の上面に固定されてもよい。この場合、支柱１０３を木製天板１０２に固定するために木製天板１０２を貫通する孔は必須でない。
【００４３】
また、支柱１０３の延出部１０８の下端は、木製天板１０２の上面の外観において美観を損なわないのであれば木製天板１０２の上面より下方に埋め込まれていてもよい。この場合、木製天板１０２には、支柱１０３の下端の形状に対応して木製天板１０２の上面に開口された窪みがあらかじめ形成される。
【００４４】
また、支柱１０３の延出部１０８が木製天板１０２の上面に固定される場合には、支柱１０３の延出部１０８は上部支柱１０７に対して一体成型されていてもよい。
【符号の説明】
【００４５】
１００  キャビネット
１０１  キャビネット本体
１０２  木製天板（天板）
１０３  支柱
１０４  キャビネット天板
１０５  側板
１０６  後板
１０７  上部支柱
１０８  延出部
１０９  物品支持部
１１０  輸液容器
１１１  支柱挿通孔
１１２  支柱固定用ねじ挿通孔
１１３  ベース部材
１１４  ベース部材側挿通孔
１１５  ベース部材側ねじ孔
１１６、１２６、１２７、１２８、１２９  ねじ挿通孔
１１７、１３０、１３１、１３２  ねじ
１１８、１１９、１２３  ねじ孔
１２０  凹部
１２１  第２凹部
１２２  延出部固定用ねじ孔
１２４  本体部
１２５  補強片
【図１】
2015142661.tif 000003
【図２】
2015142661.tif 000004
【図３】
2015142661.tif 000005
【図４】
2015142661.tif 000006
【図５】
2015142661.tif 000007